(57)【特許請求の範囲】
【請求項１】
容器内の内容物を吸引、加圧、圧送する流路が略並行に配置された２基のポンプと、各ポンプの出側端にそれぞれつながる分配経路を有し、該分配経路を経て各ポンプより圧送された内容物を合流、混合させて外界へ向けて排出する噴出ノズルを備えた２連式吐出器であって、
前記各ポンプは、各容器内の内容物をそれぞれ通過させる通路を有しその通路内に逆止弁を配置した一対となる各ステムと、この各ステムの各通路に連通する貫通孔を有し該各ステムの端部にそれぞれ固定保持される出側及び入側ピストンと、各出側ピストンをそれぞれ摺動可能に内挿するとともに噴出ノズルの分配経路につながる開口を有する出側シリンダーと、各入側ピストンをそれぞれ摺動可能に内挿するとともに容器の口部につながる開口を有する入側シリンダーと、前記各ステムを各出側および入側ピストンとともに容器の口部へ向けて付勢する弾性部材とからなり、
前記各ステムの各々の胴部に連係する連係部材を有し、弾性部材の付勢力に抗する牽洩と復元動作の繰り返しにて出側及び入側ピストンを各ステムとともに往復移動させて内容物の吸引、加圧、圧送を行う操作レバーを配置したことを特徴とする２連式吐出器。
【請求項２】
前記噴出ノズルは、ノズル先端部に、内容物の逆流防止用の弁体を備える、請求項１記載の２連式吐出器。
【発明の詳細な説明】
【技術分野】
【０００１】
本発明は、２つの容器内に充填された種類の異なる内容物を操作レバーによる操作でそれぞれ同時に吐出させ、使用直前において混合状態で排出するのに適した２連式吐出器に関するものであり、該吐出器の構造の簡素化、コンパクト化を実現するとともに、操作性の改善を図ろうとするものである。
【背景技術】
【０００２】
近年、毛染め剤や洗顔フォーム、トリートメント等においては組成の異なる２種類の内容物を使用直前に混ぜて使用するものが商品として流通してきている。
【０００３】
かかる商品は、それぞれの内容物をそれぞれ個別の容器に充填してそれを１セットにして販売されているのが普通であり、使用に際してはそれぞれの容器から所定の割合になるように内容物を個別に注出して混合する煩雑な作業が必要になっていた。
【０００４】
上記のような従来の問題を解消したものとしては、各容器の口部にポンプ装置の吸引口を接続して該ポンプ装置を手で駆動することで各容器から同時に内容物を注出する吐出装置が知られている(例えば特許文献１参照)が、ポンプ装置を手で駆動する吐出装置は装置自体のサイズが大きく操作性が良いとは言えず未だ改良の余地が残されていた。
【特許文献１】特開2005−126144号公報
【発明の開示】
【発明が解決しようとする課題】
【０００５】
本発明の課題は、構造の簡素化、コンパクト化を実現するとともに操作性の改善された新規な２連式吐出器を提案するところにある。
【課題を解決するための手段】
【０００６】
本発明は、容器内の内容物を吸引、加圧、圧送する流路が略並行に配置された２基のポンプと、各ポンプの出側端にそれぞれつながる分配経路を有し、該分配経路を経て各ポンプより圧送された内容物を合流、混合させて外界へ向けて排出する噴出ノズルを備えた２連式吐出器であって、
前記各ポンプは、各容器内の内容物をそれぞれ通過させる通路を有しその通路内に逆止弁を配置した一対となる各ステムと、この各ステムの各通路に連通する貫通孔を有し該各ステムの端部にそれぞれ固定保持される出側及び入側ピストンと、各出側ピストンをそれぞれ摺動可能に内挿するとともに噴出ノズルの分配経路につながる開口を有する出側シリンダーと、各入側ピストンをそれぞれ摺動可能に内挿するとともに容器の口部につながる開口を有する入側シリンダーと、前記各ステムを各出側および入側ピストンとともに容器の口部へ向けて付勢する弾性部材とからなり、
前記各ステムの胴部に連係する連係部材を有し、弾性部材の付勢力に抗する牽洩と復元動作の繰り返しにて出側及び入側ピストンを各ステムとともに往復移動させて内容物の吸引、加圧、圧送を行う操作レバーを配置したことを特徴とする２連式吐出器である。
【０００７】
上記の構成になる２連式吐出器において、前記噴出ノズルは、ノズル先端部に、内容物の逆流防止用の弁体を配置するのが好ましい。
【発明の効果】
【０００８】
内容物を通過させるための通路をもったステムを横並び配置としてその端部にそれぞれピストン（入側及び出側ピストン）を配置し、該ピストンをステムに連動させてシリンダー内を往復移動させるため、パーツ数の削減することができ、吐出器のサイズの小型化が可能となる。
【０００９】
出側及び入側ピストンに付勢力を与える弾性部材は出側シリンダーの内側に配置するのを基本とするが、ステムの外側に配置することも可能で、とくに、弾性部材が金属製のスプリングでこのスプリングと接触するのを嫌う内容物に対しては品質の安定化に寄与する。
【発明を実施するための最良の形態】
【００１０】
以下、図面を用いて本発明をより具体的に説明する。
図１〜図４は本発明に従う２連式吐出器の実施の形態を示したものであり、図１はその側面を断面で示した図、図２は背面を断面で示した図、図３は正面を一部断面で示した図、図４は平面について示した図である。
【００１１】
図における１、２は流路が略並行になるように配置され、容器内の内容物をそれぞれ吸引、加圧、圧送する横並び配置になるポンプ、３は各ポンプ１、２より圧送された内容物を排出する噴出ノズルである。
【００１２】
噴出ノズル３はポンプ１、２の出側端にそれぞれつながる分配経路3aと、この分配経路3aを経て各ポンプ１、２より圧送された内容物を合流、混合させる単一経路3bを有しており、ポンプ１、２は、容器内の内容物をそれぞれ通過させる通路S１、S２を有しその通路S１、S２内に逆止弁C１、C２を配置したステム1a、2aと、このステム1a、2aの各通路S１、S２に連通する貫通孔を有し該ステム1a、2aの端部にそれぞれアンダーカットの如き係合手段にて固定保持された出側ピストン1b、2b及び入側ピストン1c、2cと、出側ピストン1b、2bをそれぞれ摺動可能に内挿するとともに噴出ノズル３の分配経路3aにつながる開口を有する出側シリンダー1d、2dと、入側ピストン1c、2cをそれぞれ摺動可能に内挿するとともに容器の口部につながる開口を有する入側シリンダー1e、2eと、出側シリンダー1d、2dの内側に配置されステム1a、2aを出側ピストン1b、2b及び入側ピストン1c、2cとともに容器の口部へ向けて付勢（押圧）する弾性部材1f、2fとからなっている。
【００１３】
また、４はポンプ１、２の外壁に設けられたステイ、５はステイ４に枢支ピンを介して揺動可能に保持された操作レバーである。この操作レバー５はステム1a、2aの胴部に設けられたフランジｆにおいて連係する連係部材5aを有し、弾性部材1f、2fの付勢力に抗する牽曳（図１の仮想線）と復元動作の繰り返しによって出側ピストン1b、2b及び入側ピストン1c、2cをステム1a、2aとともにシリンダー内で往復移動させて内容物の吸引、加圧、圧送を行う。
【００１４】
さらに、６は噴出ノズル３の先端部に設けられ圧送された内容物の逆流を防止する弁体、７、８は入側シリンダー1e、2eの内側に配置され容器を口部において連結するアダプターである。
【００１５】
上記の構成になる吐出器において、操作レバー５を図１中仮想線で示した状態から元の状態に復帰させるべく牽曳力を解除すると、出側ピストン1b、2b及び入側ピストン1c、2cは出側シリンダー1d、2d、入側シリンダー1e、2e内を摺動しつつステム1a、2aとともに容器の口部へ向けて下降することとなり、この時、入側シリンダー1e、2e、ステム1a、2a及び出側シリンダー1d、2d内は負圧になり容器内の内容物が入側ピストン1c、2cの開口、ステム1a、2aの通路S１、S２、逆止弁C１、C２を通り出側ピストン1b、2bの開口を経て出側シリンダー1d、2d内へと流入する。
【００１６】
この状態から操作レバー５を牽曳すると出側ピストン1b、2b、入側ピストン1c、2cは弾性部材1f、2fの付勢力に抗しステム1a、2aとともに分配経路3aに近づく向き（上昇）へと移動し、この時、逆止弁C１、C２が閉となり出側シリンダー1d、2d内の圧力が上昇、それに伴って該出側シリンダー1d、2d内の内容物がそれぞれ分配経路3aを経て圧送、単一経路3bを通って噴出ノズル３から外界へと排出されることとなり、操作レバー５の牽曳と復元動作を複数回繰り返すことにより内容物の連続的な排出が可能となる。
【００１７】
本発明に従う吐出器は、ポンプ１、２を縦長の横並び配列として一つの操作レバー５でポンプ１、２を同時に駆動するものであって、吐出器を構成するためのパーツが少なくてすみ、全体のサイズがコンパクトになる。
【００１８】
図５は本発明に従う吐出器の他の実施の形態を示した図（背面の断面図）である。
この例は、出側シリンダー1d、2dの外側でその相互間に座部９を設け、この座部９と連係部材5aの座部5a１との間に弾性部材10を配置してステム1a、2aを出側ピストン1b、2b及び入側ピストン1c、2cとともに容器の口部へ向けて付勢（押圧）する構成のものであり、この場合、出側シリンダー1d、2d内に配置され内容物との接触が不可避な弾性部材1f、2ｆは不要となるためパーツ数を削減できるだけでなく、金属（弾性部材を金属製で構成した場合）との接触を嫌う内容物に対して有利となる。
【産業上の利用可能性】
【００１９】
構造が簡素化、コンパクト化され操作性の改善された２連式吐出器が提供できる。
【図面の簡単な説明】
【００２０】
【図１】本発明に従う２連式吐出器の実施の形態を示した図（側面の断面）である。
【図２】図１に示した吐出器の背面図である。
【図３】図１に示した吐出器の正面を一部断面で示した図である。
【図４】図１に示した吐出器の平面を示した図である。
【図５】本発明に従う吐出器の他の実施の形態を示した図（背面）である。
【符号の説明】
【００２１】
１  ポンプ
1a  ステム
1b  出側ピストン
1c  入側ピストン
1d  出側シリンダー
1e  入側シリンダー
1f  弾性部材
２  ポンプ
2a  ステム
2b  出側ピストン
2c  入側ピストン
2d  出側シリンダー
2e  入側シリンダー
2f  弾性部材
３  噴出ノズル
3a  分配経路
3b  単一経路
４  ステイ
５  操作レバー
5a  連係部材
６  弁体（３点弁）
７  アダプター
８  アダプター
９  座部
10  弾性部材
S１、S２  通路
C１、C２  逆止弁
【図１】
0004738988.tif 000002
【図２】
0004738988.tif 000003
【図３】
0004738988.tif 000004
【図４】
0004738988.tif 000005
【図５】
0004738988.tif 000006